(57)【要約】【課題】  クリップを確実に保持させることができ、しかもクリップの構造を単純化できるフットレストの取付部構造を提供すること。【解決手段】  フットレストの裏面側に、クリップ保持部を形成し、該クリップ保持部に、前記フットレストの裏面と間隔を開けてクリップ取付座を設け、このクリップ取付座に孔を形成し、該孔に通じるガイド溝を介して、クリップ取付座の面に沿ってクリップを挿入させて、該クリップの鍔によって、該クリップを前記クリップ保持部のクリップ取付座に保持させるようにしたフットレストの取付部構造において、前記クリップ保持部１０の内部で、フットレスト１の裏面に、前記クリップ取付座１０ａに向けて延びるリブ１４を立設し、該リブ１４の下端面と前記クリップ取付座１０ａの内面との間に、前記クリップ２０の鍔２１を収容させて、クリップ２０をクリップ保持部１０に保持させるフットレストの取付部構造。【選択図】        図２
2005081881.tif 000002
【特許請求の範囲】
【請求項１】
フットレストの裏面側に、クリップ保持部を形成し、該クリップ保持部に、前記フットレストの裏面と間隔を開けてクリップ取付座を設け、このクリップ取付座に孔を形成し、該孔に通じるガイド溝を介して、クリップ取付座の面に沿ってクリップを挿入させて、該クリップの鍔によって、該クリップを前記クリップ保持部のクリップ取付座に保持させるようにしたフットレストの取付部構造において、前記クリップ保持部の内部で、フットレストの裏面に、前記クリップ取付座に向けて延びるリブを立設し、該リブの下端面と前記クリップ取付座の内面との間に、前記クリップの鍔を収容させて、クリップをクリップ保持部に保持させることを特徴とするフットレストの取付部構造。
【請求項２】
前記クリップの軸部の横断面を略四角形状に形成するとともに、クリップ保持部の孔の形状を、前記クリップの軸部の横断面形状に対応した略四角形状に形成したことを特徴とする請求項１に記載のフットレストの取付部構造。
【請求項３】
前記リブを、前記クリップ保持部の周壁に連設させたことを特徴とする請求項１または２に記載のフットレストの取付部構造。
【請求項４】
前記ガイド溝の側壁を、前記クリップの挿入方向に沿って互いに接近するように延びる一対の舌片によって構成し、これら舌片を撓めて前記クリップの軸部を前記孔に挿嵌させ、前記クリップの軸部が通過することによって元の位置に復帰した前記舌片の先端によって、該孔に挿嵌されたクリップの軸部を前記孔内に拘束させるようにしたことを特徴とする請求項１ないし３のいずれか１項に記載のフットレストの取付部構造。
【請求項５】
前記フットレストの裏面に設けられた筒状のボスの下端外周面に爪を形成し、該ボスの径方向中央部に、該ボスを２分割する溝を形成し、該溝内に、該溝を縦断するリブを立設したことを特徴とする請求項１ないし４のいずれか１項に記載のフットレストの取付部構造。
【発明の詳細な説明】
【技術分野】
【０００１】
本発明は、フットレストを、クリップや先端に爪を有する爪付きボスを用いて車体に固定するフットレストの取付部構造に関するものである。
【背景技術】
【０００２】
樹脂製部材の裏面に、一側面が開口するボックス状のクリップ取付け部を形成し、該取付け部におけるクリップ取付座（フットレストの裏面と平行な壁）の中央に、クリップの軸部を保持する保持孔を形成するとともに、該軸部を保持孔に案内する挿入口を形成し、挿入口を介して、クリップの頭部を保持孔に案内し、該クリップを保持孔に装着させる樹脂製部材のクリップ取付座の構造は、知られている（例えば、特許文献１参照）。
特許文献１に開示されているクリップ取付座の構造では、クリップの頭部に、間隔をもって２層の鍔が形成され、その間の軸部をクリップ取付座の保持孔に挿入させ、２層の鍔によって取付座を挟み込むようにして、クリップをクリップ取付座に定着させている。
【０００３】
【特許文献１】実開昭６３−６２６１７号公報（図１、図２）
【発明の開示】
【発明が解決しようとする課題】
【０００４】
しかしながら、特許文献１のクリップ取付座の構造では、クリップ取付座のみで、クリップを支持しているため、クリップに、その軸方向の外力が作用した場合には、取付座が撓んで、樹脂製部材の支持が不安定になる虞がある。特に、フットレストをダッシュパネルに取付ける場合は、それらの間にパッドが介在され、クリップ取付座は、パッド内に没入させた状態で取付けられるため、取付座とフットレスト裏面との間隙が大きくなり、クリップを確実に保持することが難しい。
また、特許文献１のクリップ取付座の構造では、２層の鍔によってクリップ取付座を挟み込むようにして、クリップを取付座に係止させるため、クリップの構造が複雑になる。
【０００５】
本発明は、上記課題を解決し、クリップを確実に保持させることができ、しかもクリップの構造を単純化できるフットレストの取付部構造を提供することを目的とする。
【課題を解決するための手段】
【０００６】
本発明は、上記課題を解決するため、フットレストの裏面側に、クリップ保持部を形成し、該クリップ保持部に、前記フットレストの裏面と間隔を開けてクリップ取付座を設け、このクリップ取付座に孔を形成し、該孔に通じるガイド溝を介して、クリップ取付座の面に沿ってクリップを挿入させて、該クリップの鍔によって、該クリップを前記クリップ保持部のクリップ取付座に保持させるようにしたフットレストの取付部構造において、前記クリップ保持部の内部で、フットレストの裏面に、前記クリップ取付座に向けて延びるリブを立設し、該リブの下端面と前記クリップ取付座の内面との間に、前記クリップの鍔を収容させて、クリップをクリップ保持部に保持させることにある。
また、本発明は、前記クリップの軸部の横断面を略四角形状に形成するとともに、クリップ保持部の孔の形状を、前記クリップの軸部の横断面形状に対応した略四角形状に形成したことにある。
さらに、本発明は、前記リブを、前記クリップ保持部の周壁に連設させたことにある。
またさらに、本発明は、前記ガイド溝の側壁を、前記クリップの挿入方向に沿って互いに接近するように延びる一対の舌片によって構成し、これら舌片を撓めて前記クリップの軸部を前記孔に挿嵌させ、前記クリップの軸部が通過することによって元の位置に復帰した前記舌片の先端によって、該孔に挿嵌されたクリップの軸部を前記孔内に拘束させるようにしたことにある。
また、本発明は、前記フットレストの裏面に設けられた筒状のボスの下端外周面に爪を形成し、該ボスの径方向中央部に、該ボスを２分割する溝を形成し、該溝内に、該溝を縦断するリブを立設したことにある。
【発明の効果】
【０００７】
本発明によれば、フットレストの踏板にかかる負荷は、リブを介してクリップの鍔に伝達されるので、クリップ保持部の底壁（取付座）には、殆ど影響を及ぼすことはない。したがって、フットレストは、確実に保持される。また、クリップは、鍔がクリップ保持部の底壁とリブによって、その軸方向が拘束されるので、クリップの鍔は、１層でよく、クリップの構造が簡単になる。
また、本発明によれば、クリップの軸部と、該軸部を収容するクリップ保持部の孔が共に略四角形であるので、クリップが回転することによる緩みが防止される。
さらに、発明によれば、リブを踏板のみならず、クリップ保持部の側壁にも連設させているので、リブの剛性が高まり、クリップの保持をより確実にすることができる。
またさらに、本発明によれば、クリップをクリップ保持部の孔に挿嵌させる際には、舌片によってクリップを案内するためクリップの挿嵌作業が容易になり、クリップが孔に挿嵌された後は、舌片によってクリップが孔から抜け出すことが防止される。
また、本発明によれば、リブの側端部が、ボスを収容する孔の周壁面に食い込むため、フットレストの回転を防止することができる。
【発明を実施するための最良の形態】
【０００８】
以下に、本発明に係るフットレストの取付構造の実施の形態を、図面を参照しながら詳細に説明する。
図１は本発明が適用されるフットレストと該フットレストを取付けるパッドを示した斜視図，図２は図１に示したフットレストの裏面に形成されるクリップ保持部と、クリップを示した斜視図，図３は図１に示したフットレストの裏面に形成される爪付きボスの斜視図，図４はフットレストをダッシュボードに取付けた状態を示した断面図である。
【０００９】
図１ないし図４において、フットレスト１の取付部構造は、図２に示すように、フットレスト１の踏板部２の裏面２ａの一端側に形成された箱状のクリップ保持部１０と、該保持部に装着されて使用するクリップ２０と、フットレスト１の踏板部２の裏面２ａの他端側に形成された爪付きボス３０とによって構成されている。クリップ保持部１０と爪付きボス３０は、踏板部２と一体に合成樹脂によって成形されている。
【００１０】
クリップ保持部１０は、踏板部２の裏面２ａと平行な底壁によって形成された、略半楕円状のクリップ取付座１０ａと、踏板部２の裏面２ａに垂設され、クリップ取付座１０ａを踏板部２の裏面２ａから一定間隔を開けるように支持する周壁１０ｂとによって、ボックス状に形成されている。上記周壁１０ｂは、クリップ取付座１０ａの直線部に位置する部分が除かれて、そこにクリップ保持部１０の開口１０ｃが形成されている。
【００１１】
クリップ取付座１０ａの座面には、図２および図５に示すようにその略中央部に、一辺が後に詳述するクリップ２０における軸の基部の幅（太さ）よりも僅かに大きな正方形のクリップ収容孔１１が形成されている。また、クリップ取付座１０ａの座面には、一端がクリップ取付座１０ａの直線部に開口され、他端がクリップ収容孔１１の一辺に開口するクリップ挿入溝１２が形成されている。クリップ挿入溝１２の両側は、クリップ収容孔１１に向けて延びる一対の舌片１３によって形成され、これら舌片１３は、クリップの挿入方向に沿って互いに接近するように形成されている。それらの舌片１３の先端１３ａの間隙Ｌは、クリップ２０における軸の基部の幅よりも小さな間隔に設定されている。
【００１２】
上記クリップ保持部１０の内部には、図２および図６に示すように、フットレスト１の踏板部２の裏面２ａからクリップ取付座に向けて３つのリブ１４が立設されている。これらのリブ１４は、開口１０ｃから内部に向けて、すなわち、クリップ２０の挿入方向に向けて設けられ、その下端面１４ａとクリップ取付座１０ａの内面との距離Ｈが、クリップ２０の鍔２１の厚みよりも僅かに大きくなるように設定されている。また、リブ１４のクリップ取付座１０ａに対する奥行き方向の端部は、クリップ保持部１０の周壁１０ｂに連設されている。さらに、リブ１４の下端面（図２においては、上端面）１４ａにおける開口１０ｃ側の端縁には、円弧または傾斜面によって形成されたガイド面１５が形成されている。
【００１３】
上記クリップ保持部に装着されるクリップ２０の頭部は、図２に示すように１層の鍔２１によって形成されている。この鍔２１は、円板状をなしており、上記クリップ保持部１０の内部に収容でき、かつ、少なくとも孔１１の幅寸法よりも大きな径を有している。クリップ２０の軸部は、鍔２１に接し、断面が正方形の基部２２と、該基部２２から先端に向かって、多数配設された係合フィン２３と、先端に形成されたガイド突起２４とによって構成されている。係合フィン２３は、軸方向に対して垂直な方向に拡大された略正方形に形成されている。
【００１４】
そして、クリップ２０は、基部２２をクリップ保持部１０の挿入溝１２を介してクリップ収容孔１１に収容することによってクリップ保持部１０に装着されている。
【００１５】
上記爪付きボス３０は、図３および図７に示すように踏板部２の裏面２ａに立設され、筒状に形成されたボスの中央部を溝３１によって２分割し、該溝３１によって画成された壁部３２の下端（図３においては上端）外周に爪３３を形成したものである。さらに、この爪つきボス３０の溝３１には、該溝３１と略平行な方向に、リブ３４が立設されている。このリブ３４の幅（側端間の距離）は、爪付きボス３０の径よりも長く形成されている。
【００１６】
クリップ２０の装着手順を説明すると、クリップ２０をクリップ保持部１０に装着する際に、挿入溝１２を通るクリップ２０は、舌片１３を撓めながら挿入溝１２に沿って挿入される。前記クリップ２０の軸部の基部２２が前記クリップ収容孔１１に挿嵌すると、前記クリップ２０の軸部の基部２２が通過することによって舌片１３は、元の位置に復帰する。こうして、前記舌片１３の先端１３ａによって、該孔１１に挿嵌されたクリップ２０の軸部の基部２２を前記孔１１内に拘束する。このように、舌片１３は、クリップ２０の基部２２によって外方に撓められ、基部２２の通過を許容するが、軸部の基部２２が通過すると、元の状態に復帰して、クリップ２０が挿入溝１２を介してクリップ収容孔１１から抜け出るのを防止する。
【００１７】
クリップ保持部１０に装着されたクリップ２０は、軸部の基部２２がクリップ保持部１０のクリップ収容孔１１によって、クリップ取付座１０ａの面と略平行な方向の移動が拘束され、鍔２１がクリップ保持部１０のクリップ取付座１０ａとリブ１４の下端面１４ａとの間で、軸方向の移動が拘束される(図６参照)。
【００１８】
上記したフットレスト１は、図４に示したように、クリップ２０および爪付きボス３０によって、ダッシュボード３に添設させた合成樹脂（例えば、ＰＰ）製パッド４に、以下のようにしてカーペット５を介して取付けられる。
パッド４には、図１に示したように、クリップ保持部１０を収容する凹部４ａが形成され、該凹部４ａの底面にはクリップ２０を挿入するための孔４ｂが形成されている。さらに、このパッド４には、爪付きボス３０を挿入するための孔４ｃが形成されている。
【００１９】
フットレスト１に装着させたクリップ２０をパッド４の凹部４ａおよび孔４ｂに挿入しながら、クリップ保持部１０をパッド４の凹部４ａに挿入するとともに、クリップ２０の先端をダッシュボード３に配設したブラケット６の孔６ａに挿通させ、クリップ２０の係合フィン２３を孔６ａの周縁に係合させる。
同時に、爪付きボス３０をパッド４の孔４ｃに挿入し、その爪３３を、孔４ｃの内端段部４ｄに係合させる。
【００２０】
このようにして、ダッシュボード３に取付けられたフットレスト１は、クリップ２０の鍔２１が保持部１０のクリップ取付座１０ａとリブ１４との間で、軸方向の移動が拘束されるので、パッド４から剥がれることなく、また爪付きボス３０のリブ３４がパッド４の孔４ｃの周壁に食い込むため、フットレスト１の回動が防止される。
【００２１】
なお、本発明は、上記実施の形態のみに限定されるものではなく、例えば、上記実施の形態では、フットレスト１の踏板部２の裏面２ａからクリップ取付座に向けて３つのリブ１４を立設したが、リブ１４の数、厚みは任意に設定することができる。また、リブ１４は、その下端面１４ａとクリップ取付座１０ａの内面との距離Ｈは、クリップ２０の鍔２１の厚みよりも僅かに大きくなるように設定されているが、厚みの異なる鍔２１を持つクリップ２０をいくつか用意することで、距離Ｈを一定にすることも可能である。など、その他、本発明の要旨を変更しない範囲内で適宜変更して実施し得ることは言うまでもない。
【図面の簡単な説明】
【００２２】
【図１】本発明が適用されるフットレスとパッドを示す概念的な斜視図である。
【図２】図１に示したフットレストの裏面に形成されるクリップ取付け部と、クリップを示した斜視図である。
【図３】図１に示したフットレストの裏面に形成される爪付きボスの斜視図である。
【図４】フットレストをダッシュボードに取付けた状態を示した断面図である。
【図５】図２の保持部のクリップ取付座を示す平面図である。
【図６】図１のＡ−Ａ線矢視断面図である。
【図７】図１のＢ−Ｂ線矢視断面図である。
【符号の説明】
【００２３】
１  フットレスト
２  踏板部
２ａ  裏面
３  ダッシュボード
４  パッド
４ａ  凹部
４ｂ  孔
４ｃ  孔
５  カーペット
６  ブラケット
６ａ  孔
１０  クリップ保持部
１０ａ  クリップ取付座
１０ｂ  周壁
１０ｃ  開口
１１  クリップ収容孔
１２  クリップ挿入溝
１３  舌片
１４  リブ
１４ａ  下端面
１５  ガイド面
２０  クリップ
２１  鍔
２２  基部
２３  係合フィン
２４  ガイド突起
３０  爪付きボス
３１  溝
３２  壁部
３３  爪
３４  リブ
【図１】
2005081881.tif 000003
【図２】
2005081881.tif 000004
【図３】
2005081881.tif 000005
【図４】
2005081881.tif 000006
【図５】
2005081881.tif 000007
【図６】
2005081881.tif 000008
【図７】
2005081881.tif 000009